(57)【要約】【課題】複雑な構成を必要とすることなく、より少ない部品数、および、低コストで製造可能なＤＣジャックを提供すること。【解決手段】ＤＣプラグ２０が挿入されるＤＣジャック１０において、ＤＣプラグ２０が所定の位置まで挿入された場合にＤＣプラグ２０を介して電流が流れる配線部１３に対して直列に抵抗素子１６を設け、ＤＣプラグ２０がさらに奥まで挿入された場合に上記抵抗素子１６を短絡させる短絡部材１７を設けることにより、上記課題を解決する。【選択図】図１
2013235792.tif 000002
【特許請求の範囲】
【請求項１】
ＤＣプラグが挿入されるＤＣジャックであって、
前記ＤＣプラグが所定の位置まで挿入された場合に前記ＤＣプラグを介して電流が流れる前記ＤＣジャックの配線部に対して直列に設けられた抵抗素子と、
前記ＤＣプラグがさらに奥まで挿入された場合に前記抵抗素子を短絡させる短絡部材と、
を備えることを特徴とするＤＣジャック。
【請求項２】
前記抵抗素子は、前記短絡部材が前記ＤＣプラグにより前記配線部に押し付けられることにより短絡されることを特徴とする請求項１に記載のＤＣジャック。
【請求項３】
前記配線部は、前記ＤＣジャックの正極側の配線部であることを特徴とする請求項１または２に記載のＤＣジャック。
【請求項４】
前記配線部は、前記ＤＣジャックの負極側の配線部であることを特徴とする請求項１または２に記載のＤＣジャック。
【発明の詳細な説明】
【技術分野】
【０００１】
本発明は、ＤＣプラグが挿入されるＤＣジャックに関する。
【背景技術】
【０００２】
ＡＣアダプタなどで用いられるＤＣプラグをＤＣジャックに挿入する際、火花が発生する場合がある。この火花は、ＤＣジャックが挿入された際に、一時的に大きな突入電流が流れることにより発生する。このような火花の発生は、使用者に恐怖感を与えるものである。
【０００３】
特許文献１には、外部ＡＣ電源またはバッテリで駆動可能なプリンタにおいて、外部ＡＣ電源またはバッテリからの電圧の入力ラインにＦＥＴ（Field Effect Transistor）を直列に接続し、ＦＥＴのゲート電圧をコンデンサの充電電圧で制御して電源接続時における突入電流を抑制する技術が開示されている。
【先行技術文献】
【特許文献】
【０００４】
【特許文献１】特開２０１０−１２５７５２号公報
【発明の概要】
【発明が解決しようとする課題】
【０００５】
しかしながら、特許文献１の従来技術では、突入電流を抑制するための回路構成が複雑となり、製造コストが高くなるという問題がある。また、部品数も多くなる結果、それらの部品を設けるために広いスペースが必要となる。
【０００６】
本発明は、上記実情に鑑み、複雑な構成を必要とすることなく、より少ない部品数、および、低コストで製造可能なＤＣジャックを提供することを目的とする。
【課題を解決するための手段】
【０００７】
上記課題を解決する為に、本発明の第１の技術手段は、ＤＣプラグが挿入されるＤＣジャックであって、前記ＤＣプラグが所定の位置まで挿入された場合に前記ＤＣプラグを介して電流が流れる前記ＤＣジャックの配線部に対して直列に設けられた抵抗素子と、前記ＤＣプラグがさらに奥まで挿入された場合に前記抵抗素子を短絡させる短絡部材と、を備えることを特徴とする。
【０００８】
本発明の第２の技術手段は、第１の技術手段において、前記抵抗素子は、前記短絡部材が前記ＤＣプラグにより前記配線部に押し付けられることにより短絡されることを特徴とする。
【０００９】
本発明の第３の技術手段は、第１または第２の技術手段において、前記配線部は、前記ＤＣジャックの正極側の配線部であることを特徴とする。
【００１０】
本発明の第４の技術手段は、第１または第２の技術手段において、前記配線部は、前記ＤＣジャックの負極側の配線部であることを特徴とする。
【発明の効果】
【００１１】
本発明によれば、ＤＣプラグが所定の位置まで挿入された場合にＤＣプラグからの電流が流れるＤＣジャックの配線部に対して直列に抵抗素子を設け、ＤＣプラグがさらに奥まで挿入された場合に上記抵抗素子を短絡させる短絡部材を設けることとしたので、複雑な構成を必要とすることなく、より少ない部品数、および、低コストで製造可能なＤＣジャックを提供することができる。
【図面の簡単な説明】
【００１２】
【図１】本発明の第１の実施形態に係るＤＣジャックの一例を示す図である。
【図２】抵抗素子を短絡させる他の構成の一例を示す図である。
【図３】本発明の第２の実施形態に係るＤＣジャックの一例を示す図である。
【発明を実施するための形態】
【００１３】
以下、本発明の実施形態について図面を参照して詳細に説明する。
【００１４】
（第１の実施形態）
図１は、本発明の第１の実施形態に係るＤＣジャック１０の一例を示す図である。図１には、ＤＣジャック１０に挿入されるＤＣプラグ２０も示されている。
【００１５】
ＤＣプラグ２０は、正極側端子２１と負極側端子２２を備える。ＤＣジャック１０は、ジャックプラグピン１１、ジャックスリーブバネ１２、正極側配線部１３、負極側配線部１４、電界コンデンサ１５、抵抗素子１６、短絡部材１７を備える。
【００１６】
ジャックプラグピン１１は、ＤＣプラグ２０が所定の位置まで挿入された場合に、ＤＣプラグ２０の正極側端子２１と接触する。ジャックスリーブバネ１２は、ＤＣプラグ２０がさらに奥まで挿入された場合に、ＤＣプラグ２０の負極側端子２２と接触する。
【００１７】
ジャックプラグピン１１がＤＣプラグ２０の正極側端子２１と接触し、ジャックスリーブバネ１２がＤＣプラグ２０の負極側端子２２と接触すると、抵抗素子１６が設けられた正極側配線部１３、ジャックプラグピン１１、ＤＣプラグ２０の正極側端子２１、ＤＣプラグの負極側端子２２、負極側配線部１４、電界コンデンサ１５からなる電流経路が形成される。
【００１８】
この電流経路には、抵抗素子１６が設けられていることにより、ＤＣプラグ２０がＤＣジャック１０に挿入された際の突入電流が抑制されるので、ＤＣプラグ２０とジャックプラグピン１１との間に火花が発生しにくくなる。
【００１９】
抵抗素子１６としては、例えば、パワーサーミスタを用いることができる。パワーサーミスタは、発熱すると抵抗値が減少するので、ＤＣプラグ２０が挿入された際には突入電流を効果的に抑制でき、その後は電圧降下を軽減できる。なお、パワーサーミスタ以外の抵抗素子が用いられてもよい。
【００２０】
ＤＣプラグ２０がさらにＤＣジャック１０の奥まで挿入されると、ＤＣプラグ２０の先端により短絡部材１７が正極側配線部１３に押し付けられる。短絡部材１７は、力を加えられると撓む金属製の部材であり、その一方の端部が正極側配線部１３に接続されている。
【００２１】
そして、短絡部材１７の他方の端部が正極側配線部１３に接触すると、抵抗素子１６を短絡させる電流経路が形成される。これにより、突入電流の抑制後は、抵抗素子１６による電圧降下のない従来のＤＣジャック１０と同じ電流経路が形成される。
【００２２】
また、ＤＣプラグ２０がＤＣジャック１０から引き抜かれた場合には、撓んでいた短絡部材１７がもとの形状に戻ろうとする力により、短絡部材１７の一方の端部と正極側配線部１３とが非接触となり、ＤＣプラグ２０の挿入前の状態に戻ることになる。
【００２３】
なお、短絡部材１７とは別の構成により抵抗素子１６を短絡させることとしてもよい。図２は、抵抗素子１６を短絡させる他の構成の一例を示す図である。図２の構成は、図１の構成における短絡部材１７が、短絡部材１８、および、バネ１８ａで置き換えられたものである。
【００２４】
図２の例では、短絡部材１８は、コの字形に形成される。そして、ＤＣプラグ２０がＤＣジャック１０の奥まで挿入されると、ＤＣプラグ２０の先端により短絡部材１８の両端が正極側配線部１３に押し付けられ、抵抗素子１６を短絡させる電流経路が形成される。なお、短絡部材１８の形状は、コの字形に限定されるものではなく、Ｕ字形など他の形状であってもよい。
【００２５】
また、ＤＣプラグ２０がＤＣジャック１０から引き抜かれた場合には、バネ１８ａの力により、短絡部材１８の両端と正極側配線部１３とが非接触となり、ＤＣプラグ２０の挿入前の状態に戻ることになる。
【００２６】
（第２の実施形態）
図３は、本発明の第２の実施形態に係るＤＣジャック１０の一例を示す図である。第２の実施形態では、抵抗素子１６が正極側配線部１３ではなく、負極側配線部１４に設けられていることが第１の実施形態とは異なる。
【００２７】
第２の実施形態におけるＤＣジャック１０は、ジャックプラグピン１１、正極側配線部１３、負極側配線部１４、電界コンデンサ１５、抵抗素子１６、短絡部材１９を備える。負極側配線部１４は、負極側端子部材１４ａを有する。また、ＤＣプラグ２０は、正極側端子２１と負極側端子２２を備える。
【００２８】
負極側端子部材１４ａは、ＤＣプラグ２０が所定の位置まで挿入された場合に、ＤＣプラグ２０の負極側端子２２と接触する。ＤＣプラグ２０がさらに奥まで挿入されると、ジャックプラグピン１１がＤＣプラグ２０の正極側端子２１と接触する。
【００２９】
これにより、正極側配線部１３、ジャックプラグピン１１、ＤＣプラグ２０の正極側端子２１、ＤＣプラグの負極側端子２２、負極側端子部材１４ａ、抵抗素子１６が設けられた負極側配線部１４、電界コンデンサ１５からなる電流経路が形成される。
【００３０】
この電流経路には、抵抗素子１６が設けられていることにより、ＤＣプラグ２０がＤＣジャック１０に挿入された際の突入電流が抑制されるので、ＤＣプラグ２０の正極側端子２１とジャックプラグピン１１との間に火花が発生しにくくなる。なお、抵抗素子１６としては、例えば、パワーサーミスタを用いることができるが、パワーサーミスタ以外の抵抗素子を用いることとしてもよい。
【００３１】
ＤＣプラグ２０がさらにＤＣジャック１０の奥まで挿入されると、ＤＣプラグ２０の負極側端子２２と短絡部材１９とが接触し、短絡部材１９が負極側端子部材１４ａに押し付けられる。短絡部材１９は、力を加えられると撓む金属製の部材であり、その一方の端部が負極側配線部１４に接続されている。
【００３２】
そして、短絡部材１９の他方の端部が負極側端子部材１４ａに接触すると、抵抗素子１６を短絡させる電流経路が形成される。これにより、突入電流の抑制後は、抵抗素子１６による電圧降下のない従来のＤＣジャック１０と同じ電流経路が形成される。
【００３３】
また、ＤＣプラグ２０がＤＣジャック１０から引き抜かれた場合には、撓んでいた短絡部材１９がもとの形状に戻ろうとする力により、短絡部材１９の一方の端部と負極側配線部１４ａとが非接触となり、ＤＣプラグ２０の挿入前の状態に戻ることになる。
【００３４】
以上本発明の実施形態について説明してきたが、本発明は上述した実施形態に限定されず、本発明の要旨を逸脱しない範囲内で各種の変形、修正が可能である。
【符号の説明】
【００３５】
１０…ＤＣジャック、１１…ジャックプラグピン、１２…ジャックスリーブバネ、１３…正極側配線部、１４…負極側配線部、１４ａ…負極側端子部材、１５…電界コンデンサ、１６…抵抗素子、１７，１８，１９…短絡部材、１８ａ…バネ、２０…ＤＣプラグ、２１…正極側端子、２２…負極側端子。
【図１】
2013235792.tif 000003
【図２】
2013235792.tif 000004
【図３】
2013235792.tif 000005